(57)【特許請求の範囲】
【請求項１】
太陽電池モジュールに取り付けられて複数の太陽電池モジュールどうしを電気的に接続する端子ボックスであって、一面が開口して有底ケースとされたボックス本体と、この開口部を閉鎖する蓋体とを有し、
前記ボックス本体は、
複数の端子板と、一端が各端子板に接続され当該ボックス本体の開口側に向けて延設された接続軸と、各接続軸の他端に配設された円盤状の金属端子とを備え、
各接続軸は、ボックス本体に設けられ内部が隔壁で区画された中空状の接続部内に挿通され、他端を接続部から突出させて接続部の外側で金属端子に接続され、
さらに接続軸の他端寄りに係止板が備えられるとともに前記隔壁と係止板との間に接続軸の軸方向に伸縮可能な弾性材が装着されて、前記金属端子を接続部の外側へ突出させるように付勢しており、
前記蓋体は、
太陽電池モジュール側の出力端を当該蓋体の内面に固定するための出力端固定部を、前記ボックス本体の各金属端子と対向する位置にそれぞれ備え、
前記各出力端固定部は、
蓋体内面に固定された金属板と、該金属板の手前側から前記出力端を挿通させる挿通口と、挿通させた出力端を金属板の奥側に掛止させる掛止部とを備え、
太陽電池モジュール側の出力端を固定した蓋体と前記ボックス本体とを嵌め合わせることによって、前記弾性材の作用により出力端がボックス本体の金属端子と蓋体の金属板との間に挟まれて圧着され、当該出力端と各端子板とが電気的および機械的に接続されることを特徴とする太陽電池モジュール用端子ボックス。
【請求項２】
請求項１に記載の太陽電池モジュール用端子ボックスにおいて、
前記ボックス本体の接続部は合成樹脂により形成され、この接続部がボックス本体に対して超音波溶着によって一体に固定されていることを特徴とする太陽電池モジュール用端子ボックス。
【請求項３】
請求項１又は２に記載の太陽電池モジュール用端子ボックスにおいて、
前記ボックス本体の外周には、蓋体との嵌め合い部を水密的に封止するＯリングが添装されていることを特徴とする太陽電池モジュール用端子ボックス。
【請求項４】
請求項１〜３のいずれか一つの請求項に記載の太陽電池モジュール用端子ボックスにおいて、
前記蓋体は、ボックス本体側面に設けられた係止部に係止する爪部を備えて形成されたことを特徴とする太陽電池モジュール用端子ボックス。
【請求項５】
請求項１〜４のいずれか一つの請求項に記載の太陽電池モジュール用端子ボックスにおいて、
複数の端子板のうち互いに隣り合う２つの端子板間にはバイパスダイオードが配設されるとともに、各バイパスダイオードに対して放熱部が設けられており、これらの各放熱部は、互いに重ね合わせて配置される複数の放熱板を備えていることを特徴とする太陽電池モジュール用端子ボックス。
【請求項６】
請求項１〜５のいずれか一つの請求項に記載の太陽電池モジュール用端子ボックスにおいて、
前記ボックス本体は、開口部側ボックス部材と底面側ボックス部材との二部材を接合一体化して形成され、両ボックス部材の各接合面はそれぞれ同一平面上に形成されていることを特徴とする太陽電池モジュール用端子ボックス。
【請求項７】
請求項６に記載の太陽電池モジュール用端子ボックスにおいて、
前記開口部側ボックス部材と底面側ボックス部材の接合面には、端子板に接続される接続ケーブルをボックス本体内へ導入するための凹部がそれぞれ形成されており、両ボックス部材間において接続ケーブルが前記凹部に挟み込まれ互いに圧着しうることを特徴とする太陽電池モジュール用端子ボックス。
【発明の詳細な説明】
【技術分野】
【０００１】
本発明は、太陽電池モジュール用の端子ボックスに関する。
【背景技術】
【０００２】
近年、環境問題への関心の高まりから、環境にやさしい発電システム、例えば、太陽電池モジュールを用いて発電を行う太陽光発電システムが注目されている。この太陽光発電システムとして、建物の屋根等に複数枚の太陽電池モジュールを、マトリックス状に敷設して太陽光発電を行うものが知られている。このような太陽光発電システムでは、隣接して敷設された太陽電池モジュールを互いに電気的に接続して、各太陽電池モジュールにより発電された電力を取り出すために、各太陽電池モジュールに端子ボックスが備えられている。
【０００３】
この太陽電池モジュール用の端子ボックスには、太陽電池モジュールの太陽電池セルの一部が日陰になった場合等に、その太陽電池モジュールへ逆方向電流が流れることを未然に防ぐために、バイパス用のバイパスダイオードが設けられている。バイパスダイオードは、端子ボックス内の端子板間に配置され、太陽電池モジュールと並列に接続される。このようなバイパスダイオードとして、パッケージタイプのダイオードを用いた太陽電池モジュール用端子ボックスが知られている（例えば、特許文献１参照）。
【特許文献１】特開２００４−２８９１８１号公報
【発明の開示】
【発明が解決しようとする課題】
【０００４】
ところが、前記従来例においては、端子板と太陽電池モジュール側の出力端との接続作業が困難なものであった。具体的に言えば、太陽電池モジュール側の出力端には、通常、銅箔等の金属箔が用いられており、この金属箔を端子板に半田付けにより接続するようになっている。しかしながら、この出力端である金属箔を半田付けによって端子板に接続するには、一方の手でピンセット等を用いて金属箔を端子板の所定位置に固定させつつ、もう一方の手で半田ごてを動かして接続しなければならなかった。したがって、端子板と太陽電池モジュール側の出力端との接続は困難な作業であり、作業者の熟練を要するものとなっていた。
【０００５】
本発明は、上述した従来技術の問題点を鑑みてなされたものであり、作業者の熟練を必要とすることなく簡単かつ確実に端子板と太陽電池モジュール側の出力端とを接続することができ、製造工程にかかる時間を短縮するとともに製造コストの低減を図ることのできる太陽電池モジュール用端子ボックスを提供することを目的とする。
【課題を解決するための手段】
【０００６】
上記した目的を達成するため、本発明に係る太陽電池モジュール用端子ボックスは、太陽電池モジュールに取り付けられて複数の太陽電池モジュールどうしを電気的に接続する端子ボックスであって、一面が開口して有底ケースとされたボックス本体と、この開口部を閉鎖する蓋体とを有するものである。そして、前記ボックス本体は、複数の端子板と、一端が各端子板に接続され当該ボックス本体の開口側に向けて延設された接続軸と、各接続軸の他端に配設された金属端子とを備え、各接続軸は、ボックス本体に設けられ内部が隔壁で区画された中空状の接続部内に挿通され、他端を接続部から突出させて接続部の外側で金属端子に接続され、さらに接続軸の他端寄りに係止板が備えられるとともに前記隔壁と係止板との間に接続軸の軸方向に伸縮可能な弾性材が装着されて、前記金属端子を接続部の外側へ突出させるように付勢して構成される。また、前記蓋体は、太陽電池モジュール側の出力端を当該蓋体の内面に固定するための出力端固定部を、前記ボックス本体の各金属端子と対向する位置にそれぞれ備え、前記各出力端固定部は、蓋体内面に固定された金属板と、該金属板の手前側から前記出力端を挿通させる挿通口と、挿通させた出力端を金属板の奥側に掛止させる掛止部とを備えて構成される。そして、太陽電池モジュール側の出力端を固定した蓋体と、前記ボックス本体とを嵌め合わせることによって、前記弾性材の作用により出力端がボックス本体の金属端子と蓋体の金属板との間に挟まれて圧着され、当該出力端と各端子板とが電気的および機械的に接続されることを特徴としている。
【００１０】
さらに、本発明は上記太陽電池モジュール用端子ボックスにおいて、ボックス本体の接続部は合成樹脂により形成され、この接続部がボックス本体に対して超音波溶着で固定されていることを特徴としている。
【００１１】
また、前記蓋体は太陽電池モジュールの片面に貼着固定され、ボックス本体の開口部が前記蓋体に嵌め合わされて閉鎖されることを特徴としている。
【００１２】
また、ボックス本体の外周には、蓋体との嵌め合い部を水密的に封止するＯリングが添装されていることを特徴としている。
【００１３】
また、前記蓋体は、ボックス本体側面に設けられた係止部に係止する爪部を備えて形成されていることが好ましい。
【００１４】
以上のような構成の太陽電池モジュール用端子ボックスは、複数の端子板のうち互いに隣り合う２つの端子板間にはバイパスダイオードが配設されていることが好ましく、さらに、各バイパスダイオードに対して放熱部が設けられており、これらの各放熱部は、互いに重ね合わせて配置される複数の放熱板を備えていることが好ましい。
【００１５】
また、本発明の太陽電池モジュール用端子ボックスにおいて、前記ボックス本体は、開口部側ボックス部材と底面側ボックス部材との二部材を接合一体化して形成され、両ボックス部材の各接合面はそれぞれ同一平面上に形成されてもよい。
【００１６】
さらに、ボックス本体が上記のように形成される場合、開口部側ボックス部材と底面側ボックス部材の接合面には、端子板に接続される接続ケーブルをボックス本体内へ導入するための凹部がそれぞれ形成されて、両ボックス部材間において接続ケーブルが前記凹部に挟み込まれ互いに圧着しうるように構成されることが好ましい。
【００１７】
このような各構成により、本発明に係る太陽電池モジュール用端子ボックスは、端子板の接続位置への太陽電池モジュール側の出力端の位置合わせを必要とせず、ボックス本体に蓋体を装着するだけで端子板と出力端とを接続することが可能になり、放熱性の改善を図りつつ、容易に接続作業を済ませることができるものである。
【発明の効果】
【００１８】
上述のように構成される本発明の太陽電池モジュール用端子ボックスによれば、作業者の熟練を必要とすることなく簡単かつ確実に端子板と太陽電池モジュール側の出力端とを接続することを可能にし、端子板と出力端との接続作業性を向上させ、製造工程にかかる時間の短縮やコストの低減を図ることが可能になる。また、ボックス本体を開口部側ボックス部材と底面側ボックス部材との接合一体化して形成した場合、端子ボックスの防水性をより一層高めることができ、長期的な製品安定性を確保することが可能になる。
【発明を実施するための最良の形態】
【００１９】
以下、本発明に係る太陽電池モジュール用端子ボックスの実施形態について、図面を参照しつつ説明する。なお、以下の実施形態は、本発明を具体化した一例であって、本発明の技術的範囲を限定するものではない。
【００２０】
図１〜図１０は本発明の太陽電池モジュール用端子ボックスの一実施形態を示し、図１は端子ボックスのボックス本体を示す平面図、図２はボックス本体の左側面図、図３は図１におけるＡ−Ａ断面図、図４は図１におけるＢ−Ｂ断面図、図５は図１におけるＣ−Ｃ断面図、図６はボックス本体の側面をＤ−Ｄ断面とともに示す半断面図、図７は端子ボックスの蓋体を示す平面図、図８は蓋体の側面図である。また、図９および図１０は、端子ボックスのボックス本体と蓋体との取付方法を示す説明図である。
【００２１】
なお、便宜上、端子ボックス１における方向性を、図１に示すように、２つの接続ケーブル２２、２２が並んでいる方向を左右方向とし、接続ケーブル２２、２２がボックス本体１１に導入される方向を前後方向とする。
【００２２】
端子ボックス１は、互いに電気的に接続される複数枚の太陽電池セルが表面に設けられた太陽電池モジュールの裏面側に装着されるものである。このような端子ボックス１を用いることによって、建物の屋根等に、例えば、マトリックス状に敷設された複数枚の太陽電池モジュールにより太陽光発電を行う太陽光発電システムにおいて、隣接して設けられた太陽電池モジュールを互いに電気的に接続して、各太陽電池モジュールにより発電された電力を取り出すことを可能としている。
【００２３】
端子ボックス１のボックス本体１１は、例えば、変性ＰＰＯ（ポリフェニレンオキシド）やＡＢＳ（アクリルニトリル−ブタジエン−スチレン）のような耐候性、電気絶縁性、耐衝撃性、耐熱性、難燃性といった特性を有する合成樹脂等により成形されている。このボックス本体１１は、一面が開口した有底ケースとされている。さらに、ボックス本体１１には手前側の側面に２つのケーブル導入用の凹部１３，１３が形成されている。
【００２４】
また、ボックス本体１１の底部には、端子板１８が固定される固定台１４、端子板１８を固定するための固定用突起１５、バイパスダイオード２０および後述する放熱板を固定するための固定用突起１６が形成されている。そして、ボックス本体１１の開口部に蓋体１２が取り付けられて閉鎖できるような構造となっている。
【００２５】
ボックス本体１１の内部には、４つの端子板１８が備えられている。これら４つの端子板１８は所定間隔で並べて配置されている。各端子板１８の一端（前端）がボックス本体１１の結線用孔１２に臨むように配置されている。各端子板１８の一端には、太陽電池モジュール８の出力端８１が、後述の接続手段によって接続される。また、端子板１８の一部（後部）が、ケーブル固定用の固定部材２４の突出部分２４ａに載置されており、後述する放熱板とは接触しないようになっている（図３、図４、図５）。
【００２６】
４つの端子板１８のうち、左右両端に配置されている２つの端子板１８，１８は、太陽電池モジュール８の出力端８１と接続される基部１８ａと、この基部１８ａから左右いずれか一方向に延びるダイオード接続用のダイオード接続部１８ｂと、基部１８ａから手前側に延びるケーブル接続用のケーブル接続部１８ｃとからなる。基部１８ａには、固定用の取付孔１８ｄが形成されている。これに対し、４つの端子板１８のうち、左右両端以外に配置されている２つの端子板１８，１８は、基部１８ａと左右双方向に延びる２つのダイオード接続用の接続部１８ｂ，１８ｂとからなる。
【００２７】
各端子板１８は、ボックス本体１１の固定台１４に配設されており、各端子板１８の取付孔１８ｄに挿入された固定用突起１５によりボックス本体１１に固定されている。端子板１８をボックス本体１１に配設する際には、端子板１８の取付孔１８ｄにボックス本体１１の固定用突起１５を挿入しながら、固定台１４に端子板１８の基部１８ａを嵌め込む。そして、取付孔１８ｄから突出している固定用突起１５の頂部を加熱変形することによって端子板１８をボックス本体１１に固定している。
【００２８】
また、ボックス本体１１内部の左右両端の端子板１８，１８には、接続ケーブル２２，２２が接続されている。接続ケーブル２２は、ボックス本体１１の手前側の側面に形成されているケーブル導入用の凹部１３からボックス本体１１内部へ導入されて、端子板１８のケーブル接続部１８ｃに接続されている。そして、接続ケーブル２２，２２には、ボックス本体１１の開口部側からケーブル固定用の固定部材２４が被せられている。
【００２９】
固定部材２４は、ボックス本体１１と同じ材質で形成されており、この固定部材２４が超音波溶着によりボックス本体１１に固着されることによって、接続ケーブル２２，２２がボックス本体１１に固定されている。一方、各接続ケーブル２２は、図示しない外部接続用コネクタと接続されており、外部接続用コネクタを介して他の太陽電池モジュールに備えられた端子ボックスの接続ケーブル等と互いに連結可能となっている。なお、固定部材２４の先端側には、前方に突出した薄肉の突出部分２４ａが設けられており、この突出部分２４ａに端子板１８の手前側が載置されている。
【００３０】
ボックス本体１１内部の隣り合う２つの端子板１８，１８の間には、バイパスダイオード２０が配設されている。この例の場合、１つの端子ボックス１に用いられるバイパスダイオード２０は３つとなる。バイパスダイオード２０は、２つの端子板１８，１８間に太陽電池モジュール８と並列に接続されており、これにより、太陽電池モジュール８へ逆方向電流が流れることを未然に防ぐようにしている。なお、この例では、バイパスダイオード２０として、合成樹脂等でモールドして形成されているパッケージタイプのダイオードが用いられている。
【００３１】
バイパスダイオード２０は、そのリード線部分が端子板１８の接続部１８ｂに接続されている。また、バイパスダイオード２０の先端部分に形成されている挿入孔２０ａには、ボックス本体１１の固定用突起１６を挿入し、さらにこの固定用突起１６の頂部を加熱変形させることによってバイパスダイオード２０をボックス本体１１に固定している。
【００３２】
また、ボックス本体１１内部には、複数の放熱部が備えられている。この例では、各バイパスダイオード２０に対応するように左側、中央、右側の放熱部３０，４０，５０がそれぞれ設けられており、これらの放熱部３０，４０，５０によって、バイパスダイオード２０の発熱による温度上昇を回避するようになされている。
【００３３】
放熱部３０，４０，５０は、放熱用部材としての放熱板、例えば、アルミニウム、銅、ステンスレス鋼等のような熱伝導性に優れる金属板により形成されている。例示の形態において放熱部３０，４０，５０は、互いに上下に重ね合わせて配置された複数枚の放熱板を備えている。各放熱部３０，４０，５０に備えられる放熱板の数は特に限定されないが、例えば上中下３枚の放熱板が備えられるとよい。
【００３４】
これにより、各放熱部３０，４０，５０の放熱板の合計の表面積が大きくなり、その放熱量も大きくなる。したがって、各放熱部３０，４０，５０による効率的な放熱が可能となっている。つまり、例示の構成では、放熱性に乏しいパッケージタイプのダイオードをバイパスダイオードとして用いた場合であっても、バイパスダイオードの発熱による温度上昇を効率的に防止することができるようになっている。
【００３５】
通常、太陽電池モジュール８の出力端８１には、銅箔等の金属箔が用いられており、この金属箔を端子板１８に接続する必要がある。本実施形態においては、この出力端８１と端子板１８との接続は、以下のようにしてなされている。
【００３６】
端子ボックス１において、ボックス本体１１内には、複数の端子板１８と太陽電池モジュール８の出力端８１とをそれぞれ電気的および機械的に接続しうる接続手段が設けられている。
【００３７】
例示の形態では、接続手段として、蓋体１２には太陽電池モジュール８の出力端８１を挿通させて固定する出力端固定部６１が設けられている。
【００３８】
この出力端固定部６１は、ボックス本体１１の端子板１８と同数だけ設けられ、蓋体１２とボックス本体１１とが嵌め合わされたとき、端子板１８の基部１８ａ寄り（奥側）に対向する位置にそれぞれ配設されている。出力端固定部６１には、円盤状の金属板６２が蓋体１２に埋設されている。また、この金属板６２の手前側および奥側には、太陽電池モジュール８の出力端８１を蓋体１２の内側に挿通させる挿通口６３、および出力端８１の先端を蓋体１２の内側面に掛止させる掛止部６４がそれぞれ設けられている。
【００３９】
これに対し、ボックス本体１１には接続手段として、蓋体１２の出力端固定部６１に対向する位置に接続部７１が設けられている。各接続部７１は、中空の略直方体形状に形成され、ボックス本体１１内に納まる大きさに構成されている。接続部７１の中央には、接続ケーブル７２に接続した接続軸７３が挿通されている。接続ケーブル７２は端子板１８の基部１８ａに接続されており、接続部７１内に配設されている。
【００４０】
これらの各接続部７１内は隔壁７１ａによって２室に区画され、２室にまたがって接続軸７３が挿通するとともに、その先端側において接続軸７３の外周に係止板７４が配設されている。この係止板７４は、接続部７１内の隔壁７１ａに当接して接続軸７３の軸方向変位量を規定する。
【００４１】
また、接続軸７３の先端側には、軸周りにコイルバネ等の弾性材７５が装着されている。さらに接続軸７３の先端は接続部７１の先端開口７６から突出し、その先端部に円盤状の金属端子７７が備えられている。金属端子７７は、ちょうど蓋体１２の各金属板６２にそれぞれ対向する位置に配設されている。このような構成により、金属端子７７は常に接続部７１の外側に突出するように弾発付勢されている。
【００４２】
かかるボックス本体１１の接続部７１は、例えば、変性ＰＰＯ（ポリフェニレンオキシド）やＡＢＳ（アクリルニトリル−ブタジエン−スチレン）のような耐候性、電気絶縁性、耐衝撃性、耐熱性、難燃性といった特性を有する合成樹脂等により成形されて、ボックス本体１１の底部に超音波溶着によって配置固定されている。
【００４３】
かかる接続手段においては、太陽電池モジュール８の出力端８１が蓋体１２の各挿通口６３に挿通されて蓋体１２の内側に固定され、この蓋体１２に対してボックス本体１１が装着されると、蓋体１２の金属板６２および出力端８１に、ボックス本体１１の接続部７１先端の金属端子７７が当接するようになされている。そして、接続部７１の弾性材７５の収縮により、ボックス本体１１の接続軸７３が、金属端子７７を蓋体１２の金属板６２方向へ押圧しつつ変位する。これにより、接続軸７３が接続部７１内に収納され、金属端子７７と出力端８１とが圧着される。金属端子７７は各端子板１８にそれぞれ接続しているので、かかる作業によって太陽電池モジュール８の出力端８１と端子板１８とが接続されることになる。
【００４４】
このように構成された端子ボックス１は、太陽電池モジュール８の出力端８１を挿通口６３に通して固定した蓋体１２が、太陽電池モジュール８の背面側にシリコーン樹脂等により接着固定されていることが好ましい。そして、このように太陽電池モジュール８に固定された蓋体１２に対してボックス本体１１が固定されるが、例示の形態では、ボックス本体１１の四側面に係止部１１ａ，１１ａ，…が設けられている。この係止部１１ａ，１１ａ，…には、蓋体１２の周縁部各辺の中央部にそれぞれ突設された爪部１２ａ，１２ａ，…が係止してロックされることによって、蓋体１２がボックス本体１１から脱落しないように固定される。
【００４５】
また、ボックス本体１１の外周部の蓋体１２との嵌め合い部には、ゴム等の弾性材からなるＯリング１１ｂが添装されており、ボックス本体１１の開口部が蓋体１２によって水密的に閉鎖することができるように構成されている。
【００４６】
以上説明したように、本発明の端子ボックス１を用いれば、ボックス本体１１と蓋体１２とを嵌め合わせることにより、自ずと太陽電池モジュール８の出力端８１が、ボックス本体１１側の端子板１８に接続された金属端子７７に接続されるようになっているので、太陽電池モジュール８の出力端８１を端子板１８にそれぞれ電気的に接続するには、蓋体１２に出力端８１を固定し、この蓋体１２を太陽電池モジュール８の背面に固定して、蓋体１２に対して端子ボックス１１を装着する作業だけでよい。したがって、出力端８１と端子板１８（または金属端子７７）との位置合わせや、従来のような半田接続作業も不要となり、容易に接続作業を行うことができ、作業時間の短縮化およびコストの低減を図ることが可能になる。
【００４７】
次に、本発明に係る太陽電池モジュール用端子ボックスの変形例について図面を参照しつつ説明する。
【００４８】
図１１〜図１５は、本発明の太陽電池モジュール用端子ボックスの他の実施形態を示し、図１１は端子ボックスのボックス本体を示す平面図、図１２はボックス本体の左側面図、図１３は図１１におけるＥ−Ｅ断面図、図１４は図１１におけるＦ−Ｆ断面図、図１５はボックス本体の側面をＧ−Ｇ断面とともに示す半断面図である。
【００４９】
なお、この変形例は端子ボックス１のボックス本体１１の構成が前記実施形態と異なるものであり、端子ボックス１内部の各部の構成についてはほぼ同様であるので同符号を用いて重複する説明を省略し、ボックス本体１１の特徴部について以下に説明する。
【００５０】
例示したボックス本体１１は、開口部側ボックス部材１１２と、底面側ボックス部材１１４との二部材を接合一体化して形成されている。つまり、便宜上、図１５における図中上下を端子ボックス１の上下方向とすれば、ボックス本体１１は上下に二分割されたボックス部材１１２，１１４によって構成されている。
【００５１】
このうち、底面側ボックス部材１１４は、ボックス本体１１の底面側を構成し、一面が開口した有底ケース状に形成されている。この底面側ボックス部材１１４には、複数枚の端子板１８が固定される固定台１４、端子板１８を固定するための固定用突起１５、端子板１８、バイパスダイオード２０、および放熱部３０，４０，５０とその固定用突起１６等が備えられている。また、端子板１８と太陽電池モジュール８の出力端８１とをそれぞれ電気的および機械的に接続する接続手段としての接続部７１が、蓋体１２の出力端固定部６１に対向する位置に設けられている。
【００５２】
開口部側ボックス部材１１２は、ボックス本体１１の開口部側を構成し、二面が開口した枠形状に形成されている。この開口部側ボックス部材１１２の内側には、接続ケーブル２２，２２を固定する固定部材（２４）が、その手前側に一体的に成形されている。また開口部側ボックス部材１１２外周の四側面には、係止部１１ａ，１１ａ，…がそれぞれ設けられている。この開口部側ボックス部材１１２は、底面側ボックス部材１１４の開口側辺縁を接合面として、この接合面の上に接合一体化される。
【００５３】
これらの各接合面はそれぞれ同一平面上となるように形成されており、例えば熱溶着によって接合される。このとき、両ボックス部材１１２，１１４の各接合面が、ほぼ同一平面上にあって上下方向の面をもたないため、良好に密着させることが容易であり、端子ボックス１の防水性を高めることができる。
【００５４】
また、開口部側ボックス部材１１２と底面側ボックス部材１１４の各接合面には、端子板１８に接続される接続ケーブル２２，２２をボックス本体１１内へ導入するための凹部１３ａ，１３ｂがそれぞれ凹設されている。凹部１３ａ，１３ｂは、ともに断面半円状に形成され、両ボックス部材１１２，１１４が接合されたとき、円筒状の凹部となりうるように形成されている。そして、これらの凹部１３ａ，１３ｂに接続ケーブル２２，２２が挟み込まれ、互いに圧着することでボックス本体１１内部への水密性を確保できるように構成されている。
【００５５】
このような構成の端子ボックス１においても、ボックス本体１１の開口部（開口部側ボックス部材１１２）に蓋体１２が取り付けられて閉鎖される。また、かかる形態の端子ボックス１では、防水性をより一層高めた構成とすることができるので、長期的に製品安定性を確保することができる。
【図面の簡単な説明】
【００５６】
【図１】本発明を適用する太陽電池モジュール用端子ボックスの一実施形態でありボックス本体を示す平面図である。
【図２】前記端子ボックスのボックス本体の左側面図である。
【図３】図１におけるＡ−Ａ断面図である。
【図４】図１におけるＢ−Ｂ断面図である。
【図５】図１におけるＣ−Ｃ断面図である。
【図６】接続ケーブルの導入方向から見たボックス本体の側面をＤ−Ｄ断面とともに示す半断面図である。
【図７】前記端子ボックスの蓋体を示す平面図である。
【図８】端子ボックスの接続ケーブルの導入方向から見た蓋体の側面図である。
【図９】端子ボックスのボックス本体と蓋体との取付方法を示す説明図である。
【図１０】図９における部分拡大断面図である。
【図１１】本発明の太陽電池モジュール用端子ボックスの他の実施形態を示す平面図である。
【図１２】前記端子ボックスのボックス本体の左側面図である。
【図１３】図１１におけるＥ−Ｅ断面図である。
【図１４】図１１におけるＦ−Ｆ断面図である。
【図１５】接続ケーブルの導入方向から見たボックス本体の側面をＧ−Ｇ断面とともに示す半断面図である。
【符号の説明】
【００５７】
１      端子ボックス
１１    ボックス本体
１１２  開口部側ボックス部材
１１４  底面側ボックス部材
１１ａ  係止部
１１ｂ  Ｏリング
１２    蓋体
１２ａ  爪部
１３，１３ａ，１３ｂ    ケーブル導入用の凹部
１４    固定台
１５    固定用突起
１６    固定用突起
１８    端子板
２０    バイパスダイオード
２０ａ  挿入孔
２２    接続ケーブル
２４    固定部材
２４ａ    突出部分
３０，４０，５０    放熱部
６１    出力端固定部
６２    金属板
６３    挿通口
６４    掛止部
７１    接続部
７２    接続ケーブル
７３    接続軸
７４    係止板
７５    弾性材
７６    先端開口
７７    金属端子
８      太陽電池モジュール
８１    出力端
【図１】
0004741928.tif 000002
【図２】
0004741928.tif 000003
【図３】
0004741928.tif 000004
【図４】
0004741928.tif 000005
【図５】
0004741928.tif 000006
【図６】
0004741928.tif 000007
【図７】
0004741928.tif 000008
【図８】
0004741928.tif 000009
【図９】
0004741928.tif 000010
【図１０】
0004741928.tif 000011
【図１１】
0004741928.tif 000012
【図１２】
0004741928.tif 000013
【図１３】
0004741928.tif 000014
【図１４】
0004741928.tif 000015
【図１５】
0004741928.tif 000016